(57)【要約】【解決手段】固定側支柱２２内にその下部を挿入されて固定側支柱２２に沿って昇降される可動側支柱２３をその垂直方向に位置決めするために固定側支柱２２の上端部に配されているガイドリング本体部２４と、このガイドリング本体部２４に一体的に形成されているイオン発生器ケース本体部２５とを有するイオン発生器ケース本体部兼用のガイドリング部材２を備えている。【効果】イオン発生器本体３１で発生したイオンが回転羽根の回転により発生する送風に乗って空気中に効果的に拡散され、従来から一般的に知られているイオン発生器無しの扇風機から本発明によるイオン発生器付き扇風機を作り換える際に、部品のほとんどを共用できるとともに、その作り換えが容易であり、さらに、イオン発生器が邪魔になったり、扇風機の体裁が悪くなったりする可能性がほとんどない。【選択図】  図２
2004257320.tif 000002
【特許請求の範囲】
【請求項１】
回転羽根と、この回転羽根を回転駆動する駆動部とを支持する支柱を備え、
上記支柱が、固定側の支柱と、この固定側支柱内にその下部を挿入されて上記固定側支柱内に沿って昇降することができる可動側の支柱とを有する扇風機において、
上記昇降方向とはほぼ直交する方向において上記可動側支柱を位置決めするために上記固定側支柱の上端部に配されているガイドリング本体部と、このガイドリング本体部に一体的に形成されているイオン発生器ケース本体部とを有するイオン発生器ケース本体部兼用のガイドリング部材を備え、
上記イオン発生器ケース本体部にイオン発生器のイオン発生器本体が収容されていることを特徴とする扇風機。
【請求項２】
上記可動側支柱の上端部に支持台部がほぼ上下方向に首振り可能に取付けられ、
上記支持台部に上記駆動部がほぼ水平方向に首振り可能に支持され、
上記駆動部に上記回転羽根が取付けられていることを特徴とする請求項１に記載の扇風機。
【請求項３】
上記可動側支柱を上方に向って弾性的に付勢する巻きばねが上記固定側支柱内に配されていることを特徴とする請求項１または２に記載の扇風機。
【請求項４】
上記イオン発生器本体が、イオン発生に必要な電気部品を取付けたプリント配線基板と、上記プリント配線基板の配線パターンに電気的に接続されるようにこのプリント配線基板に直接に取付けられた電極針とを有し、
上記プリント配線基板と上記電極針の基部とが合成樹脂により一緒にモールドされていることを特徴とする請求項１、２または３に記載の扇風機。
【発明の詳細な説明】
【０００１】
【発明の属する技術分野】
本発明は、回転羽根と、この回転羽根を回転駆動する駆動部とを支持する支柱を備え、上記支柱が、固定側の支柱と、この固定側支柱内にその下部を挿入されて上記固定側支柱に沿って昇降することができる可動側の支柱とを有する扇風機に関するものである。
【０００２】
【従来の技術】
イオン発生器を組み込んだ扇風機は、例えば特開２００２−３０３２９６号公報に開示されている。なお、この特開２００２−３０３２９６号公報に開示されているイオン発生器付き扇風機（以下、「上記公知のイオン発生器付き扇風機」という）においては、回転羽根の前部を覆う前部ガードの中央部に電気絶縁性の筒状支持体を回転羽根の回転軸と平行になるように固定している。そして、この筒状支持体の内側にイオン化電極（すなわち、電子放射電極）を取付け、この電子放射電極にマイナス数千ボルトの電圧を印加するようにしている。
【０００３】
【発明が解決しようとする課題】
しかし、上述のように構成された上記公知のイオン発生器付き扇風機によれば、イオン発生器の筒状支持体および電子放射電極が回転羽根の前部を覆う前部ガードの中央部に配設されている。したがって、上記電子放射電極とイオン発生器の他の電気部品との間の配線が複雑になるので、体裁が悪くなる。また、前部ガードの構成が特殊になるので、従来から一般的に知られている扇風機の前部ガードをそのまま使用するのが困難である。しかも、電子放射電極がその内側に取付けた筒状支持体が外部からよく目立つので、体裁がさらに悪くなる。
【０００４】
本発明は、上記公知のイオン発生器付き扇風機の上述のような欠点を簡単な構成により効果的に是正し得るようにしたものである。
【０００５】
【課題を解決するための手段】
本発明は、回転羽根と、この回転羽根を回転駆動する駆動部とを支持する支柱を備え、上記支柱が、固定側の支柱と、この固定側支柱内にその下部を挿入されて上記固定側支柱に沿って昇降することができる可動側の支柱とを有する扇風機において、上記昇降方向とはほぼ直交する方向において上記可動側支柱を位置決めするために上記固定側支柱の上端部に配されているガイドリング本体部と、このガイドリング本体部に一体的に形成されているイオン発生器ケース本体部とを有するイオン発生器ケース本体部兼用のガイドリング部材を備え、上記イオン発生器ケース本体部にイオン発生器のイオン発生器本体が収容されたものである。
【０００６】
なお、本発明においては、上記可動側支柱の上端部に支持台部がほぼ上下方向に首振り可能に取付けられ、上記支持台部に上記駆動部がほぼ水平方向に首振り可能に支持され、上記駆動部に上記回転羽根が取付けられているのが好ましい。
また、本発明においては、上記可動側支柱を上方に向って弾性的に付勢する巻きばねが上記固定側支柱内に配されているのが好ましい。さらに、本発明においては、上記イオン発生器本体が、イオン発生に必要な電気部品を取付けたプリント配線基板と、上記プリント配線基板の配線パターンに電気的に接続されるようにこのプリント配線基板に直接に取付けられた電極針とを有し、上記プリント配線基板と上記電極針の基部とが合成樹脂により一緒にモールドされているのが好ましい。
【０００７】
【発明の実施の形態】
つぎに、本発明をイオン発生器付き座敷用扇風機に適用した一実施例を図面を参照して説明する。
【０００８】
図１〜図９に示すイオン発生器付き座敷用扇風機１は、図１〜図３に示すように、ガイドリング部材２に一体的にイオン発生器３が設けられていることを除いて、従来から一般的に知られている座敷用の扇風機と実質的に同一の構成であってよい。したがって、扇風機１は、図１に示すように、
（ａ）  基台４、
（ｂ）  基台４上に立設された支柱（すなわち、スタンド）５、
（ｃ）  支柱５の上端部に支持台部（図示せず）を介して取付け支持された駆動部６、
（ｄ）  駆動部６に内蔵されたモータ９（図９参照）の回転軸（図示せず）に結合されて取付けられた回転羽根７、
（ｅ）  回転羽根７を包囲するように駆動部６に取付けられたガード８、
をそれぞれ備えていてよい。そして、支柱５は、回転羽根７と、この回転羽根７を回転駆動するモータ９が内蔵された駆動部６とを支持している。
【０００９】
図１に示す駆動部６は、上記支持台部に対して、ほぼ垂直方向に延びる仮想回転軸（図示せず）の回りを回動（すなわち、水平方向に首振り）できるようになっていてよい。このために、駆動部６には、首振りスイッチ１１が設けられている。そして、この首振りスイッチ１１を手動により上昇および下降させることによって、駆動部６（ひいては、回転羽根７およびガード８）が水平方向における首振り動作を行ったり、水平方向における首振り動作を行わなかったりする。また、上記支持台部（ひいては、駆動部６、回転羽根７およびガード８）は、支柱５に対して、手動により上下方向に回動（すなわち、垂直方向に首振り）できるようになっていてよい。
【００１０】
基台４上には、図１に示すように、操作パネル１０が配置されている。そして、この操作パネル１０には、図１および図９に示すように、羽根回転タイマースイッチ１２、イオン発生器動作スイッチ１３、４種類の羽根回転スイッチ１４、１５、１６、１７およびＬＥＤなどの発光素子（イオン発生器３への電源オン時に点灯）１８がそれぞれ設けられていてよい。なお、羽根回転タイマースイッチ１２は、回動操作式であってよく、切（電源オフ）、連続（電源連続オン）およびタイマー（設定時間中だけ電源オン）の操作を手動で行えるようになっている。また、イオン発生器動作スイッチ１３は、回動操作式であってよく、切（電源オフ）および入（電源オン）の操作を手動で行えるようになっている。また、４種類の羽根回転スイッチ１４〜１７は、選択プッシュ式（すなわち、択一プッシュ式）であってよく、切（電源オフ）、弱（風量少ない）、中（風量中ぐらい）および強（風量多い）の操作を、手動で択一的に選択されたスイッチ１４〜１７のうちのいずれか１つに応じて、行うことができるようになっている。さらに、発光素子１８は、イオン発生器動作スイッチ１３が入っているときに、イオン発生器３が動作状態であることを点灯表示する。
【００１１】
支柱５は、図１および図２に示すように、基台４上にその下端部を結合された下側（すなわち、固定側）の支柱２２と、この固定側支柱２２に昇降可能に取付けられた上側（すなわち、可動側）の支柱２３とを備えている。そして、可動側支柱２３の上端部には、既述の支持台部が取付けられている。
【００１２】
ガイドリング部材２には、図１〜図４に示すように、イオン発生器３が設けられている。このために、ガイドリング部材２は、図２〜図８に示すように、従来から一般的に知られている座敷用扇風機のガイドリング部材と実質的に同一の構成を有するガイドリング本体部２４と、イオン発生器ケース本体部２５とを備えている。そして、これらのガイドリング本体部２４およびイオン発生器ケース本体部２５は、互いに一体成形されている。また、ガイドリング本体部２４は、従来から一般的に知られているように、リング状のガイド部２６と、このリング状ガイド部２６からほぼ下方に向って延びる１つまたは複数（図示の実施例の場合には４本）の取付け脚部２７とを備えている。そして、これらのリング状ガイド部２６および取付け脚部２７は、互いに一体成形されている。
【００１３】
イオン発生器ケース本体部２５は、図２〜図８に示すように、リング状ガイド部２６の一部分上に一体成形により形成されている。そして、このイオン発生器ケース本体部２５は、上記一部分を含めてほぼ箱蓋形状に構成され、その内部には、ほぼ水平に延びる仕切り板部２８が一体成形により形成されている。また、イオン発生器ケース本体部２５の内部空間のうちの仕切り板部２８によって仕切られた一方の空間（図示の実施例の場合には、下方空間）２９には、図２および図３に示すように、イオン発生器本体３１が収容保持されている。そして、イオン発生器ケース本体部２５の開放面（すなわち、後面開口）は、必要に応じてこのケース本体部２５に着脱可能に取付けられたイオン発生器ケース蓋板（すなわち、イオン発生器ケースカバー部材）３２によって、被蓋されている。したがって、イオン発生器ケース本体部２５、イオン発生器本体３１およびイオン発生器ケースカバー部材３２によって、イオン発生器３が構成されている。なお、上述のようにイオン発生器ケース本体部２５をリング状ガイド部２６（ひいては、ガイドリング本体部２４）と一体成形すれば、ケース本体部２５をリング状ガイド部２６に接着剤などにより結合する手間が省けるとともに、部品点数を少なくすることができる。
【００１４】
図２〜図４に示すイオン発生器本体３１は、従来から一般的に知られている電子放射式、コロナ放電式などのマイナスイオン発生器（図示の実施例の場合には、電子放射式のもの）と実質的に同一の構造および回路構成を備えていてよく、高圧発生回路、高圧変圧器、高圧ダイオードなどのイオン発生に必要な各種の電気部品（図示せず）が半田付けなどにより取付けられたプリント配線基板３３が合成樹脂によってモールド成形されたものであってよい。そして、プリント配線基板３３の配線パターンに電気的に接続されるようにこのプリント配線基板３３に半田付けなどにより直接に取付けられた電極針（図示の実施例の場合には、電子放射電極針）は、その基部が合成樹脂によりモールドされるとともに、その基部以外がモールド樹脂から外部にコ字状などに突出して延びている。なお、仕切り板部２８には、電極針挿通用の切込みまたは開孔３５が設けられている。そして、電極針３４は、下方空間２９から切込みまたは開孔３５を通って上方空間（すなわち、イオン発生器ケース本体部２５の内部空間のうちの仕切り板部２８によって仕切られた他方の空間）３６までその先端部が延びている。
【００１５】
イオン発生器ケース本体部２５の上板部２５ａおよび側板部（図示の実施例においては、前側板部）２５ｂには、電極針３４から電子がイオン発生器ケース本体部２５の外部に放射されるように、１つまたは複数の開孔３７、３８がそれぞれ形成されている（図２、図４など参照）。そして、開孔３７、３８は、それぞれ、上方空間３６を外部に連通させている。また、開孔３７、３８には、装飾性を高めるために、長手状溝３９、４０がそれぞれ一列（すなわち、１つの開孔３７または３８と１つの長手状溝３９または４０が全体として一列）になるように連設されている。なお、図示の実施例においては、開孔３７は小孔であり、また、開孔３８は長孔である。
【００１６】
リング状ガイド部２６は、図２、図７などに示すように、その縦断面がほぼ倒立Ｌ字形状であって、その内周部から下方に延びるリング状突出部４１を備えている。また、このリング状突出部４１の外周面の上端には、上方に切れ込んだリング状溝４２が形成されている。そして、このリング状溝４２には、固定側支柱２２のほぼ同形の上端部が嵌合されることによって、イオン発生器ケース本体部兼用のガイドリング部材２（ひいては、イオン発生器付きガイドリング部材）が固定側支柱２２の上端部に位置決め固定されている。
【００１７】
固定側支柱２２は、少なくとも上方部分が中空構造になっている。そして、ガイドリング本体部２４の４本の取付け脚部２７には、図４、図５などに示すように、係合用凹部４３が形成されている。また、固定側支柱２２の内周面には、係合用凹部４３に係合する係合用突起（図示せず）が形成されている。そして、固定側支柱２２にガイドリング本体部２４を取付けるときに、これらの係合用突起が係合用凹部４３に相対的に嵌合することによって、固定側支柱２２に対する取付け脚部２７の抜け止めが施されるようになっている。なお、上記係合用突起の必要な箇所にアールを形成しておけば、ガイドリング本体部２４（ひいては、イオン発生器付きガイドリング部材２）を固定側支柱２２から手動で（ただし、強い力を加えて）取外すことができる。
【００１８】
ガイドリング部材２のリング状ガイド部２６および固定側支柱２２内には、図２および図３に示すように、可動側支柱２３の下部が挿入されている。なお、可動側支柱２３も、固定側支柱２２と同様に、中空構造であってもよい。そして、可動側支柱２３が固定側支柱２２およびリング状ガイド部２６に対して回り止めを施されるように、リング状ガイド部２６の内周面（および場合によっては外周面）、固定側支柱２２の内周面（および場合によっては外周面）ならびに可動側支柱２３の外周面（および場合によっては内周面）の横断面の形状は、従来から一般的に知られているように、ほぼ楕円形状であってよい。また、リング状ガイド部２６（ひいては、イオン発生器ケース本体部兼用のガイドリング部材２）、固定側支柱２２および可動側支柱２３のそれぞれは、ポリプロピレンなどの合成樹脂やアルミ合金などの金属から一体成形などにより形成されていてよい。
【００１９】
固定側支柱２２の内周面には、従来から一般的に知られているように、巻きばね４４の外周端部（換言すれば、上端部）４４ａが取付け具４５によって取付け固定されている（図２参照）。なお、巻きばね４４は、図２に示すように、板ばね材料をその一端部から自由な状態で巻き込んで巻き込み癖をつけたものであってよい。そして、巻きばね４４の巻回部分４４ｂは、可動側支柱２３の下端面の一部分を上方に弾性的に押圧するように当接している。
【００２０】
可動側支柱２３は、図２に示すように、リング状ガイド部２６の内周面によってそのほぼ水平方向を位置決めされている。そして、可動側支柱２３を手動で固定側支柱２２に沿って昇降させるときには、可動側支柱２３の外周面がリング状ガイド部２６の内周面を摺動する。また、可動側支柱２３の下端面には、巻きばね４４の巻き込み癖による弾性付勢力が加わっているので、可動側支柱２３は、不測に下降する恐れがなく、手動で昇降させた位置に保持される。そして、巻きばね４４は、可動側支柱２３の昇降に応じて、巻き込まれたり、巻き戻されたりする。
【００２１】
図９には、図１に示すイオン発生器付き扇風機１の電気回路図が示されている。なお、この図９に示す電気回路図は、従来から一般的に知られている回転羽根７の駆動のための第１の回路部分にイオン発生器３の動作のための第２の回路部分が付加されたものである。また、上記第１の回路部分において、５１はＡＣ電源、５２はヒューズ、５３は進相コンデンサである。
【００２２】
上記第２の回路部分は、図９に示すように、イオン発生器動作スイッチ１３とイオン発生器本体３１との直列回路を含んでいる。そして、この直列回路の両端は、ＡＣ電源５１にそれぞれ接続されている一対の給電端子５４ａ、５４ｂにそれぞれ接続されている。また、上記第２の回路部分は、互いに極性が逆になるように並列接続された一対のＬＥＤ（発光素子）１８と抵抗５５との直列回路を含んでいる。そして、この直列回路は、イオン発生器本体３１に並列接続されている。
【００２３】
図９に示す電気回路図中のモータ９、進相コンデンサ５３およびイオン発生器本体３１以外の回路部品は、従来から一般的に知られているように、操作パネル１０に取付けられているか、あるいは、基台４内に収容されている。また、モータ９および進相コンデンサ５３は、駆動部６内に収容されている。そして、図１〜図８においては、モータ９を駆動部６内の回路部品に接続するための第１のリード線の図示は省略されているが、この第１のリード線は従来から一般的に知られているように支柱５内を通って基台４まで延びていてよい。また、イオン発生器本体３１を操作パネル１０に取付けられているか、あるいは、基台４内に収容されている回路部品に接続するための第２のリード線５６は、図２〜図４に示すように、イオン発生器ケース蓋板３２に形成されたリード挿通用の切込みまたは開孔５７を通して上記第１のリード線と同様に支柱５内を通って基台４まで延びていてよい。
【００２４】
上述のように構成されたイオン発生器付き扇風機１によれば、羽根回転タイマースイッチ１２および羽根回転スイッチ１４〜１７を操作することによって、従来から一般的に知られているように、駆動部６のモータ９が回転駆動されるので、回転羽根７が回転して送風が行われる。また、イオン発生器動作スイッチ１３を操作することによって、それ自体は従来から一般的に知られているようにイオン発生器本体３１の回路動作が行われるので、イオン発生器本体３１内の高圧変圧器（図示せず）から高圧ダイオード（図示せず）を介して電極針３４に高電圧パルスが印加される。したがって、電子が電極針３４から浮遊容量としての上方空間３６に直接に放射されるので、空気中の酸素分子がマイナスイオン化される。そして、このマイナスイオンがイオン発生器ケース本体部２５の開孔３７、３８から外部に放出されるので、上記マイナスイオンは、扇風機１が上述のように送風中であれば、この送風に乗って空中（換言すれば、扇風機１が配置されている部屋中）に効果的に拡散される。
【００２５】
以上において、本発明の一実施例について詳細に説明したが、本発明は、この実施例に限定されるものではなく、特許請求の範囲に記載された発明の趣旨に基づいて各種の変更および修正が可能である。
【００２６】
例えば、上述の実施例においては、可動側支柱２３を巻きばね４４により上方に向って弾性的に付勢するようにした。しかし、巻きばね４４以外のコイルスプリングなどの別の種類のばね手段、その他の弾性付勢手段により可動側支柱２３を上方に向って弾性的に付勢するようにしてもよく、さらには、上方への弾性付勢を行わずに、油圧などにより昇降させるようにしてもよい。
【００２７】
また、上述の実施例においては、リング状ガイド部２６の内周面、固定側支柱２２の内周面および可動側支柱２３の外周面の横断面の形状を可動側支柱２３の回り止めのためにほぼ楕円形状にした。しかし、これらの内周面および外周面の横断面の形状は、円形以外の別の回り止め形状であってもよく、さらには、ほぼ円形にして、上下方向に延びる条溝とこの条溝に嵌合して相対的に摺動する突起とを例えば可動側支柱２３の外周面およびリング状ガイド部２６のうちのいずれか一方および他方にそれぞれ設けてもよく、また、必要に応じて別の回り止め手段を設けることもできる。
【００２８】
また、上述の実施例においては、イオン発生器ケース本体部２５をリング状ガイド部２６と一体成形するようにした。しかし、イオン発生器ケース本体部２５とリング状ガイド部２６とを互いに別個に成形してから両者を接着剤などにより互いに結合することによって、両者を互いに一体的に形成するようにしてもよい。
【００２９】
また、上述の実施例においては、イオン発生器ケースカバー部材３２をイオン発生器ケース本体部２５とは別体に形成してから、このカバー部材３２をケース本体部２５に取付けるようにした。しかし、上記カバー部材３２は肉薄のヒンジ部を介して上記ケース本体部２５に一体成形されていてもよい。この場合には、カバー部材３２は上記肉薄ヒンジ部において屈曲することによりケース本体部２５の前記開放面を開閉することができる。さらには、イオン発生器本体３１自体に上記カバー部材３２に代るものを設けることなどによって、上記カバー部材３２を省略してもよい。
【００３０】
また、上述の実施例においては、イオン発生器３として電子放射式のマイナスイオン発生器を用いた。しかし、コロナ放電式のマイナスイオン発生器などの別の種類の給電式イオン発生器、さらには、その他のイオン発生器を用いてもよい。
【００３１】
また、上述の実施例においては、イオン発生器３のイオン発生用電極として電極針３４を用いた。しかし、イオン発生用電極は必ずしも針状電極３４である必要はなく、上記公知のイオン発生器付き扇風機（特開２００２−３０３２９６号公報）のように、鋸歯状の電極であってもよい。
【００３２】
また、上述の実施例においては、イオン発生器本体３１にイオン発生用の電極針３４のみを設けた。しかし、互いに対向する一対の電極からなるオゾン発生電極を電極針３４とは別にイオン発生器本体３１に設けることができる。この場合には、上記オゾン発生電極のうちの一方の電極を前記高圧変圧器の出力側と前記高圧ダイオードの入力側との間に接続するとともに、他方の電極を上記高圧変圧器の他方の出力側端子（例えば、アース端子）に接続すればよい。また必要に応じて、イオン発生器ケース本体部２５の内部空間に上方および下方空間３６、２９とは別の第３の空間（すなわち、オゾン発生用空間）を設けるとともに、上記一対の電極をこの第３の空間内に互いに対向させて配置することができる。
【００３３】
さらに、上述の実施例においては、本発明を座敷用扇風機１に適用したが、卓上型扇風機、洋間用扇風機などの別の種類の扇風機にも同様に適用することができる。
【００３４】
さらにまた、本発明の技術思想は、実用新案登録第３０７８５３９号公報に開示されているような扇風機型暖房機にも応用することができる。この場合、図１〜図９に示すイオン発生器付き扇風機において、駆動部６および回転羽根７を上記実用新案登録第３０７８５３９号公報に開示されているようなハロゲンランプ機構に置き換えるとともに、ガード８の後側ガード部を反射板に置き換え、さらに、モータ９のための電気配線に換えてハロゲンランプのための電気配線を施すことによって、イオン発生器付き扇風機型ハロゲンランプヒーターを容易に得ることができる。
【００３５】
【発明の効果】
本発明によれば、回転羽根のほぼ下方に配されたイオン発生器本体で発生したイオンがイオン発生器ケース本体部から外部に放射されるので、上記イオンが回転羽根の回転により発生する送風に乗って空気中に効果的に拡散される。
【００３６】
また、従来から一般的に知られているイオン発生器無しの扇風機において、ガイドリング部材（すなわち、前記ガイドリング本体部２４のみに相当する従来の部材）を、イオン発生器本体が収容されているイオン発生器ケース本体部兼用のガイドリング部材に取換えるとともに、上記イオン発生器本体に給電するためのリード線をイオン発生器動作スイッチを含めて基台内および操作パネルに配線することなどを行うだけで、本発明によるイオン発生器付き扇風機に作り換えることができる。したがって、上記従来の扇風機のほとんどの部品を本発明による扇風機にそのまま使用することができる利便性があるとともに、従来から一般的に知られているイオン発生器無しの扇風機から本発明によるイオン発生器付きの扇風機に作り換える作業が簡単である。
【００３７】
また、従来から一般的に知られているガイドリング部材（すなわち、上記従来の部材）にイオン発生器ケース本体部（および場合によってはイオン発生器ケースカバー部）を一体的に形成し、このイオン発生器ケース本体部にイオン発生器本体を収容するようにした。したがって、扇風機にイオン発生器を組み込む作業工程が簡単であり、また、扇風機の搬送や使用の際に、イオン発生器が邪魔になったり、扇風機の体裁が悪くなったりする可能性がほとんどない。
【００３８】
また、請求項２に記載の発明によれば、回転羽根およびその駆動部を支柱に対してほぼ上下方向およびほぼ水平方向にそれぞれ容易に首振りさせることができる。
【００３９】
また、請求項３に記載の発明によれば、可動側支柱を固定側支柱に対して上昇させる操作を軽快に行うことができる。
【００４０】
さらに、請求項４に記載の発明によれば、イオン発生器本体の電極針と他の電気部品との配線をプリント配線基板の配線パターンによって行うことができて別の高電圧配線を行う必要がなく、また、電極針をイオン発生器本体の残りの部分の近くに配することができる。
【図面の簡単な説明】
【図１】本発明をイオン発生器付き座敷用扇風機に適用した一実施例におけるイオン発生器付き扇風機全体の斜視図である。
【図２】図１に示すイオン発生器付き扇風機の固定側支柱の上端部付近の縦断面図である。
【図３】図２のＡ−Ａ線における断面図である。
【図４】図１〜図３に示すイオン発生器付きガイドリング部材の斜視図である。
【図５】図４に示すイオン発生器ケース本体部兼用のガイドリング部材の正面図である。
【図６】図５に示すイオン発生器ケース本体部兼用のガイドリング部材の平面図である。
【図７】図５のＢ−Ｂ線における断面図である。
【図８】図５のＣ−Ｃ線における断面図である。
【図９】図１に示すイオン発生器付き扇風機の電気回路図である。
【符号の説明】
１      イオン発生器付き座敷用扇風機
２      イオン発生器ケース本体部兼用のガイドリング部材
３      イオン発生器
５      支柱
６      駆動部
７      回転羽根
２２    固定側支柱
２３    可動側支柱
２４    ガイドリング本体部
２５    イオン発生器ケース本体部
３１    イオン発生器本体
３３    プリント配線基板
３４    電極針
４４    巻きばね
【図１】
2004257320.tif 000003
【図２】
2004257320.tif 000004
【図３】
2004257320.tif 000005
【図４】
2004257320.tif 000006
【図５】
2004257320.tif 000007
【図６】
2004257320.tif 000008
【図７】
2004257320.tif 000009
【図８】
2004257320.tif 000010
【図９】
2004257320.tif 000011